(57)【要約】【課題】  運搬ケースとして大きく重量のある展示パネルが収納でき、また、運搬後は受付台として兼用できる外形と機能を備えた運搬ケースを提供する。【解決手段】  他の面は金属製または強化プラスチック樹脂製の壁面で囲まれた矩形型の筐体１１０と、筐体１１０の横幅および奥行幅と同じ横幅および同じ奥行幅と任意の高さを備え、金属製または強化プラスチック樹脂製の天板１２０と、筐体側の締結金具と天板側の締結金具をつなぐラッチ金具を備えた締結部１３０と、筐体の背面に設けた補助開口１４０と、補助開口１４０を封止する補助蓋体１５０と、筐体の内面側に装填された緩衝挟持部材１６０と、筐体の底面に脱着可能なキャスター付き台座１７０を備えている。天板１２０をラッチ金具で着脱することで筐体の上面開口の開閉蓋とし、取り付けた状態で受付台の天板として兼用し、補助開口１４０を解放した状態で受付台下の収納口または膝入れ口とし兼用する。【選択図】  図１
2018019734.tif 000002
【特許請求の範囲】
【請求項１】
運搬物を収納して運搬する運搬ケースとした利用と受付台とした利用が兼用できる多目的運搬ケースであって、
上面に開口を持ち、他の面は金属製または強化プラスチック樹脂製の壁面で囲まれた矩形型の筐体と、
前記筐体の横幅および奥行幅と同じ横幅および同じ奥行幅と任意の高さを備えた金属製または強化プラスチック樹脂製の天板と、
前記筐体側の締結金具と前記天板側の締結金具をつなぐラッチ金具を備え、前記天板と前記筐体を締結する締結部と、
前記筐体の背面に設けた補助開口と、前記補助開口を封止する補助蓋体と、
前記筐体内に装填され、前記運搬物を挟持する緩衝挟持部材を備え、
前記天板を前記締結部で着脱することで前記筐体の上面開口の開閉蓋とし、取り付けた状態で前記受付台の天板として兼用し、前記補助蓋体を取り外して前記補助開口を解放した状態で前記受付台として兼用できることを特徴とする多目的運搬ケース。
【請求項２】
前記締結部が、前記筐体の外壁側面から前記天板の外壁側面にかけた凹部内に形成され、前記締結部を前記筐体の外壁側面および前記天板の外壁側面から外方へ突出しないよう形成したことを特徴とする請求項１に記載の多目的運搬ケース。
【請求項３】
前記筐体の底面にあてがう平面およびその外周に立設された壁面を備え、前記筐体底面に着脱自在に取り付けられるキャスター付き台座を備え、
前記キャスター付き台座が、その横方向において中央部分がなく左体および右体の左右に分離され、中央部分はベルトで連結自在に連結した構造を備え、前記左体および前記右体のいずれも底面に少なくとも４輪のキャスターを持ち自立移動可能、かつ、前記左体および前記右体のサイズが前記筐体内に収納可能なものであることを特徴とする請求項１または２に記載の多目的運搬ケース。
【請求項４】
前記キャスター付き台座が正面方向、背面方向、外側面方向に向けた連結ベルトを備え、
前記筐体を巻き込んで前記正面方向の連結ベルトと背面方向の連結ベルト同士を連結し、前記筐体を巻き込んで前記外側面の連結ベルト同士を連結し、前記筐体とキャスター付き台座を一体化できることを特徴とする請求項１から３のいずれかに記載の多目的運搬ケース。
【請求項５】
前記緩衝挟持部材の装填範囲と前記補助開口の位置が重複しない範囲で形成されており、前記緩衝挟持部材を内部に装填したままで、前記補助開口を開放することができ、前記受付台として使用可能としたことを特徴とする請求項１から４のいずれかに記載の多目的運搬ケース。
【請求項６】
前記緩衝挟持部材が、ウレタン製またはポリエチレン製の発泡樹脂で形成され、前記運搬物のフレームを受け入れる窪みが形成されたものであることを特徴とする請求項１から５のいずれかに記載の多目的運搬ケース。
【請求項７】
前記筐体に巻き付ける胴巻きクロスを備え、前記補助開口を覆わないように装着することにより、前記補助開口へのアクセスを確保しつつ、前記胴巻きクロスをアイキャッチ用の表示面として兼用せしめる請求項１から６のいずれかに記載の多目的運搬ケース。
【請求項８】
前記筐体および前記天板を覆うテーブルクロスを備え、前記補助開口を覆わないように装着することにより、前記補助開口へのアクセスを確保しつつ、前記テーブルクロスを前記受付台の化粧布とする請求項１から６のいずれかに記載の多目的運搬ケース。
【発明の詳細な説明】
【技術分野】
【０００１】
本発明は、多目的利用が可能な運搬ケースに関し、特に、展示ブースや催事会場に設営される展示パネルや展示バナーなどの運搬物を収納して運搬する運搬ケースに関する。展示ブースや催事会場に運搬物を運搬した後に受付台とするなど多目的な利用を可能とする運搬ケースである。
【背景技術】
【０００２】
企業にとって、製品のプレゼンテーションや営業の場として各種展示会、見本市、催事場などへ出品することは重要な機会となっている。
各種展示会、見本市、催事場などへの出品にあたり、来場者への商品の訴求力を高め、興味を引いていただけるよう、展示パネルや展示バナーに趣を凝らし、ライティングが設計された照明システムを内蔵するなど高機能化している。そのため、以前に見られた単なる紙のポスターではなく、折り畳みに適さず、重量も大きく、また電子回路など運搬時に強い衝撃が加わると壊れ得るものである。
そこで、近年では、展示パネルや展示バナーを事前に十分に養生した上で梱包し、運送業者や宅配業者に依頼して各種展示会、見本市、催事場などの会場へ直接運搬することが多い。このように、展示パネルや展示バナーを養生して梱包したり、展示会の会場で開梱したり、その際に生じるゴミを廃棄するという作業が出展者の負担となっていた。
【０００３】
次に、展示会等のブース内の設営において、受付を設置することが多い。単に壁面に展示パネルを設置するだけでなく、ご訪問いただいた方へのご案内、パンフレットのお渡しなども含め、受付を設営して対応するというニーズが大きい。主催者側が受付を設営する例もあるが、多くは出展側自らが用意することが多い。
受付の設営は、一般にはテーブル上のものにテーブルクロスなどを掛けて仕上げることが多い。このテーブルも出展側自らが手配して持ち込む必要がある。このテーブルの手配、調達にも手間やコストが掛かり、出展者の負担となっていた。
【０００４】
従来技術において、運搬物を収納するコンテナを運搬先において展示台にする考えが特開平９−００４００号公報に開示されている（特許文献１）。
この特許文献１は、図９に示すように、比較的小さな折り畳み式コンテナを用いるもので、運搬時は、折り畳み式コンテナを運搬ケースとして使用して運搬物を収納して運搬し、運搬後は、折り畳み式コンテナを複数台積み重ねて配置し、別途大きな天板も運び込んでおき、折り畳み式コンテナの上に載置して展示台として組み上げ、テーブルクロスを敷いて展示台として使用するものである。
この特許文献１によれば、運搬に使用した比較的小さな折り畳み式コンテナを展示台として用いるという多目的利用を開示している。
【０００５】
【特許文献１】特開平９−００４００号公報
【発明の開示】
【発明が解決しようとする課題】
【０００６】
折り畳み式コンテナは、必要時には組み立てて収納体として機能し、不要時には折り畳んで体積を小さくできるというメリットがある資材である。
上記従来の特開平９−００４００号公報の技術は、比較的小さな折り畳み式コンテナの多目的利用を示しているが、実際には使用には中途半端なものであった。
【０００７】
第１の問題点は、構造強度が足りないという問題である。
折り畳み式コンテナは、プラスチック樹脂製のものであり、かつフレームに可動部があるため構造的強度はあまり大きくない。そのため、安全に運搬できる運搬物は比較的重量が小さなものに限られる。しかし、近年、展示パネルなどは訴求力を向上するため、電子機器を内蔵したものが増えつつあり、比較的重量の大きなものが増えてきつつある。そのため、折り畳み式コンテナでは運搬ケースとしては適さない。
また、特許文献１の折り畳み式コンテナは、その構造上、上面や正面などに開口があり、仕切り板のようなものを加えてもその構造的強度は弱いものである。
【０００８】
第２の問題点は、大きさが足りないという問題である。
上記のように、折り畳み式コンテナは、構造的強度の問題からあまりサイズを大きくできない。そのため収納できる運搬物は小さなものに限られる。しかし、近年、展示パネルなどは一覧性を向上するため、展示パネルもＡ０サイズなど大きなサイズのものが求められ、運搬ケースとしては大きなものが求められる。また、受付台として兼用するためには高さが６５ｃｍ〜８０ｃｍ程度の範囲は必要であり、横幅もテーブルとして８０ｃｍ〜１２０ｃｍの範囲は必要である。
【０００９】
特許文献１の折り畳み式コンテナはそれよりもはるかに小さいことが前提となっており、複数段を積み重ねて必要な高さを得て、横幅方向にも並べることにより必要な横幅を得ている。受付台としてはこのように複数段を積み重ね、横方向に並べることで外形を形作ることはできる。しかし、そのままでは上面などに開口があり、その開口を塞ぎ、形を整えるために大きな天板などが必要である。この天板は特許文献１の折り畳み式コンテナの中に収納して運搬することができないものであり、別送するか会場において別途調達しなければならない。
【００１０】
上記問題を解決するため、本発明は、大きく重量のある展示パネルが収納できるサイズを持ち、かつ十分に頑丈な構造的強度のフレームを備え、さらに、そのままで受付台として兼用できる外形と機能を備えた運搬ケースを提供することを目的とする。
【課題を解決するための手段】
【００１１】
上記目的を達成するため、本発明の運搬ケースは、運搬物を収納して運搬する運搬ケースとした利用と受付台とした利用が兼用できる多目的運搬ケースであって、上面に開口を持ち、他の面は金属製または強化プラスチック樹脂製の壁面で囲まれた矩形型の筐体と、前記筐体の横幅および奥行幅と同じ横幅および同じ奥行幅と任意の高さを備え、金属製または強化プラスチック樹脂製の天板と、前記筐体の開口端付近および前記天板の正面、背面、右側面、左側面の各面それぞれに少なくとも１か所、前記筐体から前記天板にかけて一体に設けられた外壁面から窪んだ凹部と、前記凹部において設けられた、前記筐体側の締結金具と、前記天板側の締結金具と、前記筐体側の締結金具と前記天板側の締結金具をつなぐラッチ金具と、前記筐体の背面に設けた補助開口と、前記補助開口を封止する補助蓋体と、前記筐体の右側面および左側面の内面側にそれぞれ装填され、前記運搬物を左右から挟持する緩衝挟持部材を備えたものである。
【００１２】
上記構成により、天板をラッチ金具で着脱することで筐体の上面開口に対する開閉蓋として使用し、また天板を取り付けた状態で受付台の天板として兼用できる。さらに、補助開口を解放した状態で受付台として使用すれば、補助開口が受付台下の収納口となり、または受付担当者が椅子に座った場合の膝入れ口として使用でき、多目的運搬ケース全体を受付台として兼用できる。
【００１３】
筐体は、ジュラルミンやアルミニウムなどの金属またはＦＲＰなどの強化プラスチック樹脂など軽くて比較的丈夫な素材で形成すれば、多目的運搬ケースを運搬ケースとして使用時に、重い運搬物であっても耐性のある構造的強度を発揮することができる。
【００１４】
なお、多目的運搬ケースの運搬時のキャスターとして、筐体の底面にあてがう平面およびその外周に立設された壁面を備え、筐体底面に着脱自在に取り付けられるキャスター付き台座を備えた構成とすることができる。
【００１５】
ここで、キャスター付き台座の構造の工夫について述べる。キャスター付き台座は、その横方向において中央部分がなく左体および右体の左右に分離されており、中央部分はベルトで連結自在に連結した構造とすることができる。左体および右体のいずれも底面に少なくとも４輪のキャスターを持った構造であれば、それぞれ自立移動可能であり、かつ、左体および右体のサイズが筐体内に収納可能なサイズであれば、受付台として使用する際には、キャスター付き台座を運搬ケースの内部に収納することができる。
【００１６】
なお、運搬時の安定のため、キャスター付き台座が正面方向、背面方向、外側面方向に向けた連結ベルトを備えた構成とし、筐体を巻き込んで正面方向の連結ベルトと背面方向の連結ベルト同士を連結し、また、筐体を巻き込んで外側面の連結ベルト同士を連結し、筐体とキャスター付き台座を一体化できるものとすることが好ましい。連結ベルトで筐体を前後方向、左右方向に締め上げることができ、運搬時に安定した状態となる。
【００１７】
次に、運搬ケースの内部の工夫について説明する。
運搬ケースの内部にある緩衝挟持部材の装填範囲と、補助開口の位置が重複しない範囲で形成しておくことが好ましい。このように両者の位置関係が重複しないものであれば、緩衝挟持部材を内部に装填したままで、補助開口を開放することができ、補助開口は緩衝挟持部材に邪魔されることなく、背面から内部へアクセスできる開口となるため、受付台として使用する際には、受付台下の収納口として利用でき、受付台としての使用時において、運搬ケース内部を、パンフレット、チラシ、名刺、事務用品、その他必要グッズを収納しておく空間として利用することができる。
【００１８】
緩衝挟持部材としては、例えば、ウレタン製またはポリエチレン製で形成されたものとすれば優れた緩衝材機能が得られ、さらに、運搬物のフレームを受け入れる窪みが形成されたものであれば、多目的運搬ケースを運搬ケースとして使用時において、内部の運搬物をしっかりと挟持して安定した姿勢を保持せしめることができる。
【００１９】
なお、運搬物の中に筐体全体を覆う布幕を用意しておけば、受付台として使用する際には、金属製や強化プラスチック製の素材を剥き出しのままとせず、布幕を筐体全体に覆い掛けることにより、受付台の化粧布とすることができる。
【発明の効果】
【００２０】
本発明にかかる多目的運搬ケースによれば、大きく重量のある展示パネルが収納できるサイズを持ち、かつ十分に頑丈な構造的強度のフレームを備え、さらに、そのままで受付台として兼用できる。
天板は、ラッチ金具で着脱することで開閉蓋として使用できるとともに、取り付けた状態で受付台の天板として兼用できる。
さらに、補助開口は、受付台下の収納口となり、また、受付担当者が椅子に座った場合の膝入れ口として使用できるため、多目的運搬ケースを会場に置くだけでそのまま受付台として兼用できる。
筐体が、ジュラルミンやアルミニウムなどの金属またはＦＲＰなどの強化プラスチック樹脂など軽くて比較的丈夫な素材であれば、多目的運搬ケースを運搬ケースとして使用時に、重い運搬物であっても耐性のある構造的強度を発揮することができる。
また、キャスター付き台座は、運搬時のキャスターとして使用できるとともに、受付台として使用する際には、筐体から連結ベルトの開放だけで簡単に取り外すことができ、かつ、多目的運搬ケースの内部に収納できる。
【図面の簡単な説明】
【００２１】
【図１】実施例１にかかる本発明の多目的運搬ケース１００（キャスター付き台座除く）の構成例を簡単に示した図である。
【図２】キャスター付き台座１７０を取り出して示した図である。
【図３】梱包作業の様子を簡単に示した図である。
【図４】多目的運搬ケース１００の運搬時の利用形態を示す図である。
【図５】多目的運搬ケース１００の開梱時の様子を簡単に示す図である。
【図６】多目的運搬ケース１００内部の緩衝挟持部材１６０を移動して仕切り板として機能させる様子を簡単に示す図である。
【図７】本発明の多目的運搬ケース１００を受付台として利用する形態を簡単に示す図（その１）である。
【図８】本発明の多目的運搬ケース１００を受付台として利用する形態を簡単に示す図（その２）である。
【図９】従来技術における運搬コンテナを展示台として利用する例を示す図である。
【発明を実施するための最良の形態】
【００２２】
本発明の多目的運搬ケースの実施例に基づいて詳細に説明する。なお、本発明はこれらの実施例に限定されるものではない。
【実施例１】
【００２３】
図１は、本発明の実施例１にかかる多目的運搬ケース（キャスター付き台座除く）の構成例を簡単に示した図である。
図２は、キャスター付き台座１７０を取り出して示した図である。
図１は、多目的運搬ケース１００の背面側が前面に見える斜視図となっている。図２も斜視図となっている。多目的運搬ケース１００の正面側の図示がないが、補助開口１４０と補助蓋体１５０の有無以外は、背面側の図と同じである。
【００２４】
図１および図２に示すように、本発明の多目的運搬ケースは、筐体１１０、天板１２０、締結部１３０と、補助開口１４０、補助蓋体１５０、緩衝挟持部材１６０、キャスター付き台座１７０を備えた構成となっている。各部材について本発明を理解する上で必要な範囲で示しており、機械的な部分などは簡単に図示しているかまたは図示自体を省略している部分もある。
【００２５】
まず、筐体１１０について説明する。
筐体１１０は、上面に開口１１１を持ち、他の面は壁面で囲まれた矩形の外形を持つものである。筐体１１０の素材としては、金属製または強化プラスチック樹脂製などの軽くて丈夫な素材とする。ここでは、例えば、ジュラルミン製のケースとする。
【００２６】
筐体１１０は、内部に収納する展示パネルなどの展示物が重量のあるものでも十分に収納できる機械的構造強度を備えたものに仕上げておくことが好ましい。ジュラルミンケースは軽くて極めて丈夫な素材であるため、ここで想定している展示パネルなどの重量は十分に支持できるものと言える。
【００２７】
筐体１１０の外形寸法は、特に制限されない。ここでは、一例であるが、内部にＡ１サイズの展示パネルを収納するものとして、外形の横幅が１１８０ｍｍ、外形の奥行が６２０ｍｍ、外径の高さが７００ｍｍとする。なお、筐体１１０のサイズは運搬物の大きさに応じて数種類用意しておくこともできる。
筐体１１０の壁面の厚さも特に限定されない。ここでは、一例であるが、２０ｍｍとする。
筐体１１０の上面開口１１１は、筐体の上部を全面的に開放した全面開口の例とした。
【００２８】
筐体１１０の内部には、左右壁面の内側に緩衝挟持部材１６０が装填され、内部空間における運搬物２００の収納環境を提供する。緩衝挟持部材１６０については後述する。
【００２９】
筐体１１０の底面下には、運搬時には図２に示すキャスター付き台座１７０を取り付けることができ、運搬時は底面にキャスター付きの状態となる。受付台としての使用時には図１の通り、筐体１１０の底面下からキャスター付き台座１７０が取り外された状態となり、筐体１１０が台として安定して設置できるものとなっている。キャスター付き台座１７０については後述する。
【００３０】
筐体１１０は構造的強度を増すため、角には隅金具１１１で補強する構造も好ましい。
また、この例では筐体１１０の側面外壁には、把持部１１２が設けられている。この把持部１１２は必須の構成ではないが、運搬物２００が重量物の場合、筐体１１０と天板１２０の重量も比較的大きいため、このような把持部１１２が筐体１１０の側面外壁に取り付けられていると運搬時に便利である。なお、この把持部１１２が、筐体１１０の側面外壁の面から外方へ突出しないよう、窪みが設けられて把持部１１２が当該窪み内に収納された状態であり、把持部１１２を使用する時のみ、外方へ引き出して使用する構造が好ましい。
また、筐体１１０から天板１２０にかけて、その正面、背面、左右側面の外壁には、締結部１３０が設けられている。この締結部１３０については後述する。
【００３１】
次に、天板１２０を説明する。
天板１２０は、矩形で厚板状の外形を持つものである。いわゆる一枚板の厚板で頑丈なもので良い。天板１２０の素材としては、筐体１１０と同様、金属製または強化プラスチック樹脂製などの軽くて丈夫な素材とする。ここでは、例えば、ジュラルミン製の厚板とする。
【００３２】
天板１２０の外形寸法は、筐体１１０の横幅および奥行幅と同じ横幅および同じ奥行幅を備えたものである。つまり、この例では、天板１２０の横幅が１１８０ｍｍ、天板１２０の奥行が６２０ｍｍとなる。このように、筐体１１０の横幅および奥行幅と同じ横幅および同じ奥行幅とすることで、天板１２０を筐体１１０の上面開口を塞ぐように載せ置くと、筐体１１０と天板１２０が一つの大きな矩形をなすものとなる。なお、筐体１１０の壁面には厚みがあるので、天板１２０を筐体１１０に載せ置くと、その下面において外周が筐体１１０の厚み分で当接支持されるので、安定した状態となる。
【００３３】
天板１２０の高さについては任意の高さで良いが、ここでは５０ｍｍとする。この例では、筐体１１０の高さが７００ｍｍであったので、筐体１１０の上に天板１２０を載せ置くと、出来上がる全体の矩形の高さが７５０ｍｍとなる。
【００３４】
天板１２０は、多目的運搬ケース１００を運搬用のケースとして利用する場合、筐体１１０の上面開口に取り付けて上面開口を閉鎖し、運搬後に運搬物を取り出すときには取り外して筐体１１０の上面開口を開放する。
内部に収納する展示パネルなどの展示物が重量のあるものでも十分に筐体１１０の蓋として機能できる機械的構造強度を備えたものに仕上げておくことが好ましい。また、ジュラルミンは軽くて極めて丈夫な素材であるため、ここで想定している展示パネルなどの運搬物の蓋として十分に機能できるものと言える。
なお、天板１２０にも構造的強度を増すため、角には隅金具１２１で補強する構造も好ましい。
【００３５】
一方、天板１２０は、多目的運搬ケース１００を受付台として利用する場合、筐体１１０の上面開口に取り付けて受付台としての天板１２０となる。天板１２０は一枚板の厚板で上面は品質の良い平面であるので、受付台の天板としては適している。
なお、受付台は台上で多少の作業も行われる可能性があるが、天板１２０は機械的構造強度が十分にあるので作業台としても利用できるものである。
【００３６】
ここで、天板１２０の筐体１１０の上面への取り付けについて述べる。天板１２０の筐体１１０の上面への取り付けは、締結部１３０を介して行われる。
締結部１３０は、筐体１１０の開口端付近の正面、背面、右側面、左側面の各面、および、天板１２０の正面、背面、右側面、左側面の各面、それぞれに少なくとも１か所設けられている。この例では、正面に２か所、背面に２か所、左右の壁面に１か所ずつ設けられている。
【００３７】
締結部１３０は、天板１２０と筐体１１０を一体に強固に締結するものであり、いわゆるラッチ金具で四方向を固めるように強固に締結する。なお、矩形の外形から突出しないよう、外壁面から内側に設けた窪み内に部材が設けられている。つまり、筐体１１０の開口端付近から天板１２０の側面にかけて一体に設けられた凹部があり、その凹部の中に筐体１１０側の締結金具と、天板１２０側の締結金具があり、これら筐体側の締結金具と天板側の締結金具を締結するラッチ金具を備えた構造となっている。
このように、筐体１１０の上面に天板１２０を載せ置いた状態で、四方向に配置した締結部１３０によって四方向から強固に締結し、両者を一体的につなぐことができる。
【００３８】
このように、筐体１１０と天板１２０が強固に一体的に締結された状態となれば、多目的運搬ケース１００を運搬用のケースとして使用する場合、頑丈な運搬ケースとして提供でき、また、多目的運搬ケース１００を受付台として使用する場合、出っ張りなどがない適度な外形を備えた受付台として提供できる。
【００３９】
次に、筐体１１０の背面に設けられた補助開口１４０および補助蓋体１５０を説明する。
補助開口１４０は、筐体１１０の背面に設けられた開口である。補助開口１４０は、本発明の多目的運搬ケース１００を受付台として使用する際に収納口として用いられるものであり、本発明の多目的運搬ケース１００を運搬用のケースとして使用する際には使用されずに閉鎖されるべき開口である。
開口の大きさ、位置は限定されないが、緩衝挟持部材１６０の装填範囲との関係において、補助開口１４０の大きさと位置を、緩衝挟持部材１６０の装填範囲とは重複しないよう工夫することができる。緩衝挟持部材１６０の装填範囲と重複する場合、本発明の多目的運搬ケース１００を受付台として使用する際に収納口として開放しているのに、緩衝挟持部材１６０が存在すると、収納の出し入れの妨げとなるからである。この例では、補助開口１４０は筐体１１０の背面の略中央付近に設けられている。
また、補助開口１４０の周囲のエッジは少し外壁面から窪みが設けられており、この窪みに補助蓋体１５０を受け入れるものとなっている。
【００４０】
また、補助開口１４０は、本発明の多目的運搬ケース１００を受付台として使用する際に、受付者が椅子などに座る場合、膝の入れ口として用いることもできる。本発明の多目的運搬ケース１００は矩形であるので、そのままであると、一般のテーブルのように膝や膝下を受け入れる空間がない。そこで、補助開口１４０があれば、受付者が受付台の背面に座って来場者を迎える場合、補助開口１４０を介して、多目的運搬ケース１００の内部空間をあたかも一般のテーブルのように膝や膝下を受け入れる空間として利用できる。つまり、補助開口１４０を膝入れ口として利用することができる。
【００４１】
次に、補助蓋体１５０は、補助開口１４０を封止するための蓋体である。本発明の多目的運搬ケース１００を運搬用のケースとして使用する際に、補助開口１４０に対して取り付けて補助開口１４０を封止する。本発明の多目的運搬ケース１００を受付台として使用する際には補助蓋体１５０は取り外され、例えば、筐体１１０の内部の収納空間に収納しておく。
図１の例では、補助蓋体１５０は、補助蓋体本体１５１、補助蓋体留め具１５２、補助蓋体蝶番１５３を備えている。また、オプションとして補助蓋体本体１５１の内面には補助ポケット１５４が設けられた例となっている。
【００４２】
補助蓋体本体１５１は、補助開口１４０のサイズよりやや大きいものであり、  補助開口１４０の周囲のエッジにある窪みに対して嵌合するものとなっている。補助蓋体１５０を補助開口１４０のエッジに取り付けた状態で、筐体１１０の背面が垂直となるよう設計することが好ましい。
補助蓋体本体１５１の素材も、筐体１１０と同様、金属製または強化プラスチック樹脂製などの軽くて丈夫な素材が好ましい。ここでは、例えば、ジュラルミン製の厚板とする。
【００４３】
補助蓋体本体１５１の内面にはオプションとして補助蓋体本体１５１の内面には補助ポケット１５４が設けられている。この補助ポケット１５４は後述するキャスター付き台座１７０を収納したり、テーブルクロス１８０を収納したり、様々な用途に臨機応変に用いることができる。
補助蓋体留め具１５２および補助蓋体蝶番１５３は、補助蓋体本体１５１を安定して取り付けるための金具であり、これらの構造は図示のものに限定されない。補助蓋体留め具１５２のロックを外せば、補助蓋体本体１５１が補助蓋体蝶番１５３からも外れ、補助蓋体本体１５１が引き出せるものとなっている。
【００４４】
緩衝挟持部材１６０は筐体１１０内に装填される緩衝材で、この例では右側面側と左側面側にそれぞれ装填されている。内部に収納した運搬物を左右から挟持することができるものとなっている。
また、左右に追加して緩衝挟持部材１６０を底面側に設けても良い。
緩衝挟持部材１６０の素材は、限定されないが、例えば、ウレタン製またはポリエチレン製の発泡樹脂で形成されている。緩衝挟持部材１６０は弾力性に優れた特性とともに、重量物を支持できるよう、ある程度の強度も必要である。
【００４５】
緩衝挟持部材１６０には、運搬物のフレームを受け入れる窪みが形成されたものとすることができる。この窪みに対して運搬物のフレームを差し込んで行けば、運搬物のフレームをしっかりと挟持することができ、運搬物の姿勢が安定する。
図１の例では、５つの窪みが提供されている。この５つの窪みの幅は、運搬物の厚みと合致することが好ましい。この例では、左右の緩衝挟持部材１６０に挟持されるサイズの展示パネルなどを５枚、緩衝挟持部材１６０間に差し込めば、安定した形でそれら展示パネルなどを挟持することができる。
運搬終了後、多目的運搬ケース１００を受付台として使用する際には、この緩衝挟持部材１６０を取り外しても良いが、装填したままで受付台として使用することができる。緩衝挟持部材１６０を取り外せばその保管場所を別途確保しなければならないが、筐体１１０の内部に装填したままであれば、緩衝挟持部材１６０の保管場所を別途確保する必要がない。
【００４６】
次に、キャスター付き台座１７０について説明する。
図２は、キャスター付き台座１７０を簡単に示した斜視図である。図２の構成例では、キャスター付き台座１７０が左右一対のものとなっている。
キャスター付き台座１７０は、筐体１１０の底面に取り付けるものであり、筐体１１０の底面にあてがう平面と、その周囲に立設された壁面と、キャスター１７１を備えたものとなっている。
【００４７】
図２に示すように、キャスター付き台座１７０は、左右に分離され、右体のキャスター付き台座１７１Ｒと、左体のキャスター付き台座１７０Ｌがある。それらが中央において連結ベルト１７２で連結され得る構成となっている。つまりキャスター付き台座１７０は、中央部分がなく、左右に分離され、中央部分をベルトで連結することにより、ちょうど筐体１１０の底面と合致する配置となる。筐体１１０の底面の右側付近を右体のキャスター付き台座１７０Ｒをあてがい、筐体１１０の底面の左側付近を左体のキャスター付き台座１７０Ｌをあてがって筐体１１０の底面にキャスターを外付けするものとなっている。
エッジに立設された壁面は筐体１１０の底面から側面にかけて沿うように窪みを形成するための壁面であり、その高さは限定されないが、過剰に高くする必要はなく、例えば、３０ｍｍ程度の高さでも良い。
【００４８】
次に、キャスター付き台座１７０の安定性の工夫について述べる。
この例では、右体のキャスター付き台座１７０Ｒおよび左体のキャスター付き台座１７０Ｌともに、４輪のキャスターを持ち自立移動が可能となっている。筐体１１０の底面には比較的大きな重量がかかるため、それぞれが自立できるような安定性が必要であるので、この例ではそれぞれに４輪のキャスター１７１が設けられている。
【００４９】
次に、キャスター付き台座１７０の着脱自在性について述べる。
キャスター付き台座１７０は、筐体１１０の底面に対して着脱自在となっている。キャスター付き台座１７０は筐体１１０の底面と直接、ボルトナットやネジのような連結金具で連結されているわけではなく、連結ベルト１７３によって筐体１１０とキャスター付き台座１７０を一体に締め上げることにより装着している。連結ベルト１７３は、キャスター付き台座１７０の正面方向、背面方向、外側面方向に設けられている。筐体１１０を巻き込んで正面方向の連結ベルト１７３と背面方向の連結ベルト１７３同士を連結し、さらに、筐体１１０を巻き込んで外側面の連結ベルト１７３同士を連結すれば、筐体１１０とキャスター付き台座１７０が四方向で締め上げられ、強固に一体化する。
一方、キャスター付き台座１７０を筐体１１０の底面から取り外す際は、連結ベルト１７３の連結を解くことで簡単に取り外すことができる。この例では、連結ベルトはいわゆる“バックル式”になっているので、脱着も容易である。
【００５０】
次に、キャスター付き台座１７０の収納性について工夫がある。
もし、キャスター付き台座１７０を左右分離型とせず、一体の大きな台座とすれば、事実上、キャスター付き台座１７０の面積は筐体１１０の面積よりも大きなものとなってしまう。多目的運搬ケース１００を運搬用のケースとして使用して底面にキャスター付き台座１７０を装着している状況では問題はないが、多目的運搬ケースを受付台として使用する際には、キャスター付き台座１７０を取り外し、その収納場所を別途確保する必要が生じる。しかし、本発明では、キャスター付き台座１７０を中央で左右分離可能な構成とし、かつ、横幅を短くして中央部分は連結ベルト１７２で連結した構造としたので、連結ベルト１７２を外せば、単独の右体のキャスター付き台座１７０Ｒ、単独の左体のキャスター付き台座１７０Ｌは、比較的小さなサイズである。そのため、多目的運搬ケースを受付台として使用する際には、右体のキャスター付き台座１７０Ｒ、左体のキャスター付き台座１７０Ｌを筐体１１０の中に収納することができる。
以上が、本発明にかかる多目的運搬ケース１００の各部の説明である。
【００５１】
次に、本発明にかかる多目的運搬ケース１００の利用例を説明する。
まず、本発明にかかる多目的運搬ケース１００を運搬用のケースとして利用する手順を説明する。
図３は梱包作業の様子を簡単に示した図である。
まず、本発明にかかる多目的運搬ケース１００にキャスター付き台座１７０を取り付け、補助蓋体１５０を取り付けた状態で、天板１２０を外し、筐体１１０の中に緩衝挟持部材１６０を装填した状態とする。
そこにイルミネーション付き展示パネルなど運搬物２００を整理整頓して筐体１１０の中に入れ、緩衝挟持部材１６０に差し込んで挟持させる。併せて、テーブルクロス１８０やその他運搬する様々な展示資材などを充填して行く。この際、展示資材が筐体１１０の内部で遊びがあるようであれば、適宜、緩衝材を入れたり、テープなどで固定したりする。
【００５２】
図４は、本発明の多目的運搬ケース１００の運搬時の利用形態を示す図である。図４のように、筐体１１０の上面に天板１２０を取り付け、締結部１３０により四方向からしっかりと締結して天板１２０と筐体１１０を一体化する。さらに、キャスター付き台座１７０の連結ベルト１７３を正面方向および横方向から締め上げて強固に連結する。
図４は、本発明の多目的運搬ケース１００の運搬時の利用形態を示す図である。
この状態で多目的運搬ケース１００ごと運搬作業に供される。
【００５３】
次に、図５は、本発明の多目的運搬ケース１００の開梱時の様子を簡単に示す図である。
図５に示すように、運搬先である展示会場などのブースに到着すれば、締結部１３０を外し、天板１２０を取り外し、筐体１１０の上面を開口し、イルミネーション付き展示パネルなど運搬物２００を取り出す。併せてテーブルクロス１８０やその他の展示資材も取り出す。
次に、展示ブースでのイルミネーション付き展示パネルの設営や他の展示資材の設営が終了すれば、不要資材を筐体１１０の中に収納するとともに、さらに、キャスター付き台座１７０の連結ベルト１７２を外して、左右に分離した後、筐体１１０の内部に収納し、その上で、天板１２０を取り付け、締結部１３０で締結して、再度、一体の矩形のものに形作る。ここで、補助蓋体１５０を取り外して補助開口１４０を開口しておく。
【００５４】
次に、運搬作業後に、本発明の多目的運搬ケース１００を、収納空間として利用する形態を簡単に説明する。
図６は、本発明の多目的運搬ケース１００を、収納空間として利用する形態を簡単に説明する図である。
開梱作業が終了して運搬物を取り出すと、図６（ａ）に示すように、筐体１１０の内部は空間が生じている。ここで、このままこの筐体１１０内の空間を収納空間として利用できる。本発明の多目的運搬ケース１００では、さらに、図６（ｂ）に示すように、緩衝挟持部材１６０を仕切り板として利用して、筐体１１０内の内部空間を仕切ることができる。この構成例では、本発明の多目的運搬ケース１００を運搬ケースとして利用する際には、緩衝挟持部材１６０は両端に離隔して設置され、両者間の距離を長く設定し、イルミネーション付き展示パネルなど大きな運搬物を両端から挟持するように保持して養生していたが、本発明の多目的運搬ケース１００を収納空間として利用する際には、図６（ｂ）に示すように、緩衝挟持部材１６０の位置を自由に移動させ、筐体１１０の空間内を仕切る仕切り板として利用することが可能となる。
【００５５】
例えば、緩衝挟持部材１６０の移動により新たに確保した収納空間を、キャスター付き台座１７０の収納空間として利用することができる。キャスター付き台座１７０を左右に分離した後、左体のキャスター付き台座１７０Ｌ、右体のキャスター付き台座１７０Ｒをそれぞれ分離した状態で収納することができる。キャスター付き台座１７０の車輪は運搬時に屋外の道路などを転がって汚れが付着していることもあるため、他の収納物とは隔てた方が良い場合もあり得る。緩衝挟持部材１６０が仕切り板として機能すれば、キャスター付き台座１７０と他の収納物の収納空間を分けることが可能となる。
【００５６】
なお、図６（ｂ）に示すように、緩衝挟持部材１６０を仕切り板として移動して設置した場合でも、補助開口１４０の位置とは重複しない範囲で移動することが好ましい。補助開口１４０の位置と重複しないため、後述するように、本発明の多目的運搬ケース１００を受付台として利用する場合でも、補助開口１４０を介して筐体１１０内部の収納空間へのアクセスが確保される。
【００５７】
図７は、本発明の多目的運搬ケース１００を受付台として利用する形態を簡単に示す図である。
図７の例は、筐体１１０の正面、右側面、左側面に対して、利用者の名称や商品名などのアイキャッチ用の胴巻きクロス１８０−１を巻き付けた例である。図７の例では、天板１２０にはクロスなどを敷設せず、そのままとしている。
【００５８】
天板１２０も含めてクロスで覆うことも可能である。
図８は、本発明の多目的運搬ケース１００を受付台として利用する他の形態を簡単に示す図である。
図８に示すように、全体にテーブルクロス１８０−２を掛け覆って化粧を施せば、受付台としての利用が可能となる。受付背面側に開口している補助開口１４０の位置テーブルクロス１８０−２に切り欠きを設け、補助開口１４０を介した筐体１１０内部へのアクセスを確保することが好ましい。
この補助開口１４０を受付台下の収納口として利用可能であるし、受付者が椅子に座る場合、膝を入れる膝入れ口ともなる。
【００５９】
以上、本発明の多目的運搬ケースの構成例における好ましい実施形態を図示して説明してきたが、本発明の技術的範囲を逸脱することなく種々の変更が可能であることは理解されるであろう。
【産業上の利用可能性】
【００６０】
本発明の多目的運搬ケースは、展示ブースや催事会場に設営される展示パネルや展示バナーなどの運搬物を収納して運搬する運搬ケースとして利用でき、さらに、運搬物を会場に運搬した後、受付台として利用でき、多目的な利用が可能な運搬ケースとして広く適用することができる。
【符号の説明】
【００６１】
１００  多目的運搬ケース
１１０  筐体
１２０  天板
１３０  締結部
１４０  補助開口
１５０  補助蓋体
１６０  緩衝挟持部材
１７０  キャスター付き台座
１８０−１  アイキャッチ用胴巻きクロス
１８０−２  テーブルクロス
２００  運搬物
【図１】
2018019734.tif 000003
【図２】
2018019734.tif 000004
【図３】
2018019734.tif 000005
【図４】
2018019734.tif 000006
【図５】
2018019734.tif 000007
【図６】
2018019734.tif 000008
【図７】
2018019734.tif 000009
【図８】
2018019734.tif 000010
【図９】
2018019734.tif 000011